(57)【特許請求の範囲】
【請求項１】
互いに一定のデータ量で第１のサービス放送番組の素材及び該番組に関する制御情報を含んだ複数の第１の情報パケットを配列し、かつ前記第１の情報パケット相互間に無効なダミーパケットを挿入した第１送出レートの第１のサービス放送信号と、それぞれ優先順位が設定された第２のサービス放送番組の素材を示す複数の第２の素材情報パケット、前記第２のサービス放送番組に関する制御情報を含んだ周期情報パケットを含む第２送出レートの第２のサービス放送信号とを放送するデジタル放送システムに用いられ、前記第１のサービス放送信号に前記第２のサービス放送信号を多重して第１送出レートの送出信号を生成するデジタル放送信号多重送出装置であって、
入力される前記第１のサービス放送信号から前記複数の第１の情報パケット及び前記ダミーパケットを分離し、入力される前記第２のサービス放送信号から前記複数の第２の素材情報パケット及び前記周期情報パケットを分離する分離手段と、
この分離手段により分離された前記複数の第１の情報パケット、複数の第２の素材情報パケット、周期情報パケットを各情報別にそれぞれ所定パケット数分格納する複数のバッファと、
これら複数のバッファの出力を選択的に多重する多重化手段と、
前記第１送出レートに従って前記複数のバッファから前記複数の第１の情報パケットを順次読み出して前記多重化手段に与えるとともに、前記送出信号中のダミーパケット挿入期間に、前記複数のバッファから前記周期情報パケットを読み出して前記多重化手段に与え、かつ前記複数の第２のサービス素材情報パケットを優先順位に従って選択的に前記多重化手段に与える多重制御手段と、
前記複数のバッファに格納された前記複数の第２の素材情報パケット、周期情報パケットを監視し、前記複数のバッファにそれぞれ格納されるパケット数が所定数を超える場合に、前記第２のサービス放送信号の送出元に対し停止制御を行うバッファ監視手段とを具備したことを特徴とするデジタル放送信号多重送出装置。
【請求項２】
互いに一定のデータ量でテレビジョン放送番組の素材及び該番組に関する制御情報を含んだ複数のテレビジョン放送情報パケットを配列し、かつ前記テレビジョン放送情報パケット相互間に無効なダミーパケットを挿入した第１送出レートのテレビジョン放送信号と、それぞれ優先順位が設定されたデータ放送番組の素材を示す複数のデータ放送素材パケット、前記データ放送番組に関する制御情報を含んだ周期情報パケットを含む第２送出レートのデータ放送信号とを放送するデジタル放送システムに用いられ、前記テレビジョン放送信号に前記データ放送信号を多重して第１送出レートの送出信号を生成するデジタル放送信号多重送出装置であって、
入力される前記テレビジョン放送信号から前記複数のテレビジョン放送情報パケット及び前記ダミーパケットを分離し、入力される前記データ放送信号から前記複数のデータ放送素材パケット及び前記周期情報パケットを分離する分離手段と、
この分離手段により分離された前記複数のテレビジョン放送情報パケット、複数のデータ放送素材パケット、周期情報パケットを各情報別にそれぞれ所定パケット数分格納する複数のバッファと、
これら複数のバッファの出力を選択的に多重する多重化手段と、
前記第１送出レートに従って前記複数のバッファから前記複数のテレビジョン放送情報パケットを順次読み出して前記多重化手段に与えるとともに、前記送出信号のダミーパケット挿入期間に、前記複数のバッファから前記周期情報パケットを読み出して前記多重化手段に与え、かつ前記複数のデータ放送素材パケットを優先順位に従って選択的に前記多重化手段に与える多重制御手段と、
前記複数のバッファに格納された前記複数のデータ放送素材パケット、周期情報パケットを監視し、前記複数のバッファにそれぞれ格納されるパケット数が所定数を超える場合に、前記データ放送信号の送出元に対し停止制御を行うバッファ監視手段とを具備したことを特徴とするデジタル放送信号多重送出装置。
【請求項３】
互いに一定のデータ量でテレビジョン放送番組の素材及び該番組に関する制御情報を含んだ複数のテレビジョン放送情報パケットを配列し、かつ前記テレビジョン放送情報パケット相互間に無効なダミーパケットを挿入した第１送出レートのテレビジョン放送信号と、それぞれ優先順位が設定されたデータ放送番組の素材を示す複数のデータ放送素材パケット、前記データ放送番組に関する制御情報を含んだ周期情報パケット、その他の付加情報を含んだイベントメッセージ情報パケットを含む第２送出レートのデータ放送信号とを放送するデジタル放送システムに用いられ、前記テレビジョン放送信号に前記データ放送信号を多重して第１送出レートの送出信号を生成するデジタル放送信号多重送出装置であって、
入力される前記テレビジョン放送信号から前記複数のテレビジョン放送情報パケット及び前記ダミーパケットを分離し、入力される前記データ放送信号から前記複数のデータ放送素材パケット、前記周期情報パケット及び前記イベントメッセージ情報パケットを分離する分離手段と、
この分離手段により分離された前記複数のテレビジョン放送情報パケット、複数のデータ放送素材パケット、周期情報パケット、イベントメッセージ情報パケットを各情報別にそれぞれ所定パケット数分格納する複数のバッファと、
これら複数のバッファの出力を選択的に多重する多重化手段と、
前記第１送出レートに従って前記複数のバッファから前記複数のテレビジョン放送情報パケットを順次読み出して前記多重化手段に与えるとともに、前記送出信号のダミーパケット挿入期間に、前記複数のバッファから前記周期情報パケット及び前記イベントメッセージ情報パケットを読み出して前記多重化手段に与え、かつ前記複数のデータ放送素材パケットを優先順位に従って選択的に前記多重化手段に与える多重制御手段と、
前記複数のバッファに格納された前記複数のデータ放送素材情報、周期情報及びイベントメッセージ情報の各パケットを監視し、前記複数のバッファにそれぞれ格納されるパケット数が所定数を超える場合に、前記データ放送信号の送出元に対し停止制御を行うバッファ監視手段とを具備したことを特徴とするデジタル放送信号多重送出装置。
【請求項４】
前記多重制御手段は、別途前記テレビジョン放送番組に関する制御情報を含んだ番組情報パケットが提供される場合に、前記送出信号のダミーパケット挿入期間に、前記番組情報パケットを前記多重化手段に与える機能を有することを特徴とする請求項２または３記載のデジタル放送信号多重送出装置。
【請求項５】
前記分離手段は、前記データ放送信号の分離を外部からの制御の下に行う機能を有することを特徴とする請求項２または３に記載のデジタル放送信号多重送出装置。
【発明の詳細な説明】
【０００１】
【発明の属する技術分野】
この発明は、衛星放送、地上波放送等のデジタル放送システムにおいて、データ放送を行うためのデジタル放送信号多重送出装置に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
上記デジタル放送の放送局では、テレビジョン放送に加えて、文字放送等のデータ放送も行っている。データ放送では、各種の情報番組を放送しており、その中にはテレビジョン放送番組に連動した情報や、またテレビジョン放送番組とは独立した情報等を提供している。特開２００１−１１１９６９号にその一例を示す。
【０００４】
【発明が解決しようとする課題】
ところで、上記放送局では、テレビジョン放送信号の伝送レートと多重化信号の伝送レートとの差を吸収するために、テレビジョン放送信号中のテレビジョン放送番組を示す素材パケット相互間に無効なヌルパケットを挿入しており、テレビジョン放送信号にデータ放送信号を多重する際に、ヌルパケットをデータ放送番組を示す素材パケットに差し替えるようにしている。
【０００５】
しかしながら、テレビジョン放送信号の伝送レートは、番組や映像シーンに応じて変化し、場合によってはデータ放送に利用できる帯域が狭くなり、この場合もデータ放送の素材パケットが同一の条件でヌルパケットと差し替えられることになる。このため、優先順位に応じた木目細かなデータ放送のデータ伝送を効率良く行うことが困難である。
【０００６】
そこで、この発明の目的は、放送帯域が変動した場合にも、優先順位の高いデータ放送のデータを柔軟にかつ効率良くテレビジョン放送信号に多重して放送できるようにしたデジタル放送信号多重送出装置を提供することある。
【０００７】
【課題を解決するための手段】
この発明に係るデジタル放送信号多重送出装置は、上記目的を達成するために、以下のように構成される。
（１）互いに一定のデータ量で第１のサービス放送番組に関する情報を含んだ複数の第１の情報パケットを配列し、かつ第１の情報パケット相互間に無効なダミーパケットを挿入した第１送出レートの第１のサービス放送信号と、それぞれ優先順位が設定された第２のサービス放送番組の素材を示す複数の第２の素材情報パケット、第２のサービス放送番組に関する制御情報を含んだ周期情報パケットを含む第２送出レートの第２のサービス放送信号とを放送するデジタル放送システムに用いられ、第１のサービス放送信号に第２のサービス放送信号を多重して第１送出レートの送出信号を生成するデジタル放送信号多重送出装置であって、
入力される第１及び第２のサービス放送信号を複数の第１の情報パケット、複数の第２の素材情報パケット及び周期情報パケットに分離する分離手段と、この分離手段により分離された複数の第１の情報パケット、複数の第２の素材情報パケット、周期情報パケットを各情報別にそれぞれ所定パケット数分格納する複数のバッファと、これら複数のバッファの出力を選択的に多重する多重化手段と、複数のバッファから複数の第１の情報パケットを順次読み出して多重化手段に与えるとともに、送出信号中のダミーパケット挿入期間に、複数のバッファから周期情報パケットを読み出して多重化手段に与え、かつ複数の第２のサービス素材情報パケットを優先順位に従って選択的に多重化手段に与える多重制御手段とを備えるようにしたものである。
【０００８】
この（１）の発明によれば、第１のサービス放送信号及び第２のサービス放送信号は、複数の第１の情報パケット、複数の第２のサービス素材情報パケット及び周期情報パケットに分離され、各情報別に用意された複数のバッファに記憶されることとなり、第１のサービス放送信号に含まれるダミーパケットはバッファには記憶されない。そして、第１のサービス放送信号の送出レートで、複数のバッファから複数の第１の情報パケットが順次読み出されて送出信号に多重化されるとともに、ダミーパケット挿入期間において、複数のバッファから周期情報パケット及び複数の第２のサービス素材情報パケットが優先順位の高い順に読み出されて送出信号に多重化されることになる。
【０００９】
従って、第１のサービス放送信号の送出レートが所定のしきい値を超えたとしても、これに比較的柔軟に対応して少なくとも最高の優先順位の第２のサービス素材情報パケット及び周期情報パケットを送出信号に多重して送信するというように、帯域変動に応じた最適な第２のサービス放送信号の伝送を行うことができる。また、放送帯域中の限られた第２のサービス放送用の帯域を有効に利用して、優先順位の高い第２のサービス素材情報パケットを効率良く伝送することが可能となる。
【００１０】
（２）上記（１）の発明において、第１のサービス放送信号がテレビジョン放送信号であり、第２のサービス放送信号がデータ放送信号である場合に、上記多重制御手段は、別途前記テレビジョン放送番組に関する制御情報を含んだ番組情報パケットが提供される場合に、送出信号のダミーパケット挿入期間に、番組情報パケットを多重化手段に与える機能を有することを特徴とする。
【００１１】
この（２）によれば、別途に提供される番組情報パケットもテレビジョン放送信号に効率良く多重することができるので、放送帯域の変動に影響されることなく、例えば情報差し替え時や番組変更時等が発生した場合に、その差し替えや番組変更に応じた番組情報パケットをテレビジョン放送信号に多重して送信することができる。
【００１２】
【発明の実施の形態】
以下、この発明の実施形態について図面を参照して詳細に説明する。
【００１３】
図１は、この発明に係るデジタル放送信号多重送出装置が適用される局内システムの一実施形態を示すブロック図である。
【００１４】
このシステムは、同図に示すように、エンコーダ（ＥＮＣ）１１，１２と、マルチプレクサ（ＭＵＸ）１３と、符号化多重制御部（ＥＭＣ）１４と、データ放送送出部１５と、自動番組送出制御部（ＡＰＣ）１６と、局内時計１７と、データサーバ（ＤＳ）１８とを備えている。
【００１５】
エンコーダ１１は、テレビジョン放送番組の映像信号をＭＰＥＧ２符号化方式で圧縮符号化してテレビジョン放送用トランスポートストリーム（ＴＳ）を生成し、マルチプレクサ１３に出力する。エンコーダ１２は、テレビジョン放送番組の音声信号をＡＡＣ（Advanced Audio Coding）符号化方式で圧縮符号化してトランスポートストリームを生成し、マルチプレクサ１３に出力する。
【００１６】
マルチプレクサ１３は、各エンコーダ１１，１２の出力と、データ放送送出部１５から出力されるデータ放送用トランスポートストリームとを多重化し、送出用のトランスポートストリーム（ＴＳ）として送出する。また、符号化多重制御部１４から出力される情報を元に、ＰＭＴ（Program Map Table）、ＰＡＴ（Program Association Table）等のデータを生成し、送出用のトランスポートストリームに多重する。
【００１７】
符号化多重制御部１４は、自動番組送出制御部１６から提供される指示情報、放送スケジュールデータ及び局内時計１７で計測される編成時刻に基づいてエンコーダ１１，１２及びマルチプレクサ１３を制御する。なお、ＰＭＴ、ＰＡＴには、番組に関する情報やトランスポートストリーム中にデータ放送用データが含まれているか否かを示す情報が含まれている。
【００１８】
データ放送送出部１５は、自動番組送出制御部１６から提供される指示情報に基づいて、パケット構造のデータ放送用ＴＳをマルチプレクサ１３に送出するものである。
【００１９】
自動番組送出制御部１６は、データサーバ１８から提供される放送スケジュールデータ及び局内時計１７で計測される番組編成時刻に従って、符号化多重部１４及びデータ放送送出部１５に対し指示情報を送出して符号化多重部１４の符号化多重処理を制御し、またデータ放送送出部１５の送出処理を制御するようにしている。
【００２０】
図２は、上記マルチプレクサ１３の具体的構成を示すブロック図である。
【００２１】
マルチプレクサ１３は、同図に示すように、パケットフィルタ部１３１，１３２，１３３と、バッファ１３４１〜１３４ｎ，１３５１〜１３５ｍ，１３６１〜１３６ｐと、セレクタ１３７と、カウンタ１３８と、多重処理部１３９と、多重判定部１４０と、送出周期管理部１４１と、ＴＳ生成バッファ１４２と、バッファ監視部１４３とを備えている。
【００２２】
パケットフィルタ部１３１は、エンコーダ１１，１２から出力されるＴＳパケット列を分離し、各バッファ１３４１〜１３４ｎにそれぞれ所定個数分保持する。
【００２３】
パケットフィルタ部１３２は、エンコーダ１１，１２から出力されるＴＳパケット列とは別に送られてくるテレビジョン放送番組に関する制御情報を含んだＰＳＩ（Program Specific Information）／ＳＩ（Specific Information）パケット列をデータサーバ１８から通知されるパケット優先順位に従って分離し、各バッファ１３５１〜１３５ｍにそれぞれ所定個数分保持する。
【００２４】
パケットフィルタ部１３３は、データ放送送出部１５から出力されるデータ放送用ＴＳパケット列をデータサーバ１８から通知されるパケット優先順位に従って分離し、情報別に各バッファ１３５１〜１３５ｍにそれぞれ所定個数分保持する。
【００２５】
セレクタ１３７は、各バッファ１３４１〜１３４ｎ，１３５１〜１３５ｍ，１３６１〜１３６ｐの出力を選択的に導出する。
【００２６】
カウンタ１３８は、セレクタ１３７から出力されるパケット数をカウントし、所定数に満たない場合に、ヌルパケットをトランスポートストリームに挿入して出力する。
【００２７】
多重処理部１３９は、各バッファ１３４１〜１３４ｎ，１３５１〜１３５ｍ，１３６１〜１３６ｐのパケット内容を監視し、この監視結果を多重判定部１４０に送出するとともに、多重判定部１４０による判定結果に基づき各バッファ１３４１〜１３４ｎ，１３５１〜１３５ｍ，１３６１〜１３６ｐに保持されたパケットの読み出し制御を行う。なお、判定結果には、テレビジョン放送用トランスポートストリーム（ＴＳ）の送出レートが含まれる。
【００２８】
ＴＳ生成バッファ１４２は、例えば符号化多重制御部１４からＬＡＮ経由で到来するパケット列を所定個数いったん保持し、多重処理部１３９による制御の下で、セレクタ１３７に出力する。
【００２９】
なお、ＴＳ生成バッファ１４２に保持されるパケット数及びパケット内容は、送出周期管理部１４１により管理される。
【００３０】
バッファ監視部１４３は、各バッファ１３４１〜１３４ｎ，１３５１〜１３５ｍ，１３６１〜１３６ｐに保持されたパケット数を監視する。
【００３１】
次に、上記構成において、以下にその処理動作を説明する。
まず、データ放送の伝送帯域は、図３に示すように、テレビジョン放送番組の映像／音声で使用する帯域のうちの残りの帯域を使用することが伝送の基本概念になっている。デジタル放送における映像／音声は、ＭＰＥＧ２で規定される圧縮符号化技術を採用していることから映像シーンによりテレビジョン放送用の帯域が変動することになる。
【００３２】
現在、データ放送用ＴＳは、予め映像／音声の最大符号量から余り帯域の目処をつけ固定ビットレートで伝送されているため、映像／音声の符号量が減少した時にも何も多重されていない帯域が発生し無駄である。
【００３３】
そこで、本実施形態では、データ放送送出部１５から出力されるデータ放送ＴＳパケット列をそのままマルチプレクサ１３に入力し、マルチプレクサ１３にて帯域変動に応じたデータ放送用ＴＳパケット列の送出制御を行う。この場合の送出制御の様子を図４（ａ）、（ｂ）に示す。
【００３４】
図４（ａ）はエンコーダ１１，１２の出力、図４（ｂ）はデータ放送送出部１５の出力、図４（ｃ）はマルチプレクサ１３の出力を示し、各図において、Ａはテレビジョン放送用ＴＳパケット、Ｂは不要なヌルパケット、Ｃは最高の優先順位を示すデータ放送用ＴＳパケット、ＤはＣよりも優先順位の低いデータ放送用ＴＳパケット、Ｅは効率的に多重するＴＳパケットであることを示している。
【００３５】
ここで、マルチプレクサ１３では、エンコーダ１１，１２からのテレビジョン放送用ＴＳパケット列をパケットフィルタ部１３１に入力し、テレビジョン放送用ＴＳパケット、ヌルパケットに分離した後、テレビジョン放送用ＴＳパケットのみを各バッファ１３４１〜１３４ｎにそれぞれ所定個数分順次保持する。各バッファ１３４１〜１３４ｎに保持されたパケットは、それぞれ多重処理部１３９によって監視され、その監視結果は多重判定部１４０に通知される。
【００３６】
また、マルチプレクサ１３では、データ放送送出部１５からのデータ放送用ＴＳパケット列をパケットフィルタ部１３３に入力し、例えばテレビジョン放送番組に連動した第１のデータ放送用ＴＳパケット、テレビジョン放送番組とは独立した第２のデータ放送ＴＳパケット、ＤＩＩセクションパケット、イベントメッセージセクションパケットに分離した後、データサーバ１８から通知される優先順位に従って、各バッファ１３６１〜１３６ｐにそれぞれ所定個数のパケットを順次保持する。各バッファ１３６１〜１３６ｐに保持されたパケットは、それぞれ多重処理部１３９によって監視され、その監視結果は多重判定部１４０に通知される。
【００３７】
多重処理部１３９では、多重判定部１４０からの判定結果が与えられると、この判定結果からテレビジョン放送用ＴＳの送出レートを判定し、この判定結果に基づき、各出力バッファ１３４１〜１３４ｎからテレビジョン放送用ＴＳパケットを順次読み出し、セレクタ１３７に与える。
【００３８】
そして、多重処理部１３９では、ヌルパケットを読み出すべき期間に、各バッファ１３５１〜１３５ｍからＰＳＩ／ＳＩを含むＴＳパケットを読み出すとともに、各バッファ１３６１〜１３６ｐから第１のデータ放送ＴＳパケット、第２のデータ放送ＴＳパケットを優先順位に従って選択的に読み出し、ＤＩＩセクションパケット、イベントメッセージセクションパケットを読み出し、セレクタ１３７に与える。すると、多重部１３５から図４（ｃ）に示すようなパケット列が出力される。
【００３９】
これにより、例えばクイズ問題やドラマの１場面等の映像シーンに付随した優先順位の高いデータ放送番組のデータを、テレビジョン放送番組の映像／音声の符号量が最大になっても伝送に影響を与えないように伝送することが可能となる。
【００４０】
上記テレビジョン放送用ＴＳの送出レートが所定のしきい値を超えた場合において、例えばバッファ１３６２には優先順位の低いデータ放送用ＴＳパケットが保持され続けることになる。このバッファ１３６２の蓄積量は、常にバッファ監視部１４３に通知されることになる。バッファ監視部１４３は、バッファ１３６２の蓄積量を監視し、所定量を超えている場合に、データ放送送出部１５に対してデータ放送用ＴＳパケットの送出を停止させるようなバッファ情報を通知する。
【００４１】
以上のように上記実施形態では、パケットフィルタ部１３１〜１３３と、バッファ１３４１〜１３４ｎ，１３５１〜１３５ｍ，１３６１〜１３６ｐとを設け、テレビジョン放送用ＴＳをパケットフィルタ部１３１でテレビジョン放送用ＴＳパケットとヌルパケットとに分離して、このうちテレビジョン放送用ＴＳパケットのみをバッファ１３４１〜１３４ｎに保持するようにしている。また、データ放送用ＴＳをパケットフィルタ部１３３で第１のデータ放送用ＴＳパケット、第２のデータ放送用ＴＳパケット、ＤＩＩセクションパケット、イベントメッセージセクションパケットとに分離して、各パケット別にバッファ１３６１〜１３６ｐに保持するようにしている。そして、多重処理部１３９では、テレビジョン放送用ＴＳの送出レートでバッファ１３４１〜１３４ｎからテレビジョン放送用ＴＳパケットを順次読み出してセレクタ１３７に与えるとともに、ヌルパケットを挿入すべき期間に、バッファ１３６１〜１３６ｐからＤＩＩセクションパケット、イベントメッセージセクションパケットを読み出してセレクタ１３７に与えるとともに、第１及び第２のデータ放送用ＴＳパケットを優先順位の高い順に読み出してセレクタ１３７に与えるようにしている。
【００４２】
従って、テレビジョン放送用ＴＳの送出レートが所定のしきい値を超えたとしても、これに比較的柔軟に対応して少なくとも優先順位の高いデータ放送用ＴＳパケット及びＤＩＩセクションパケット及びイベントメッセージセクションパケットを送出用のＴＳに多重して送信するというように、送出レートの変動に応じた最適なデータ伝送を行うことができる。また、放送帯域中の限られたデータ放送用の帯域を有効に利用して、優先順位の高いデータ放送用ＴＳパケットを効率良く伝送することが可能となる。
【００４３】
また、テレビジョン放送用の帯域占有率が最小を示す場合に、ユーザがいつ受信を開始してもデータ放送番組を速やかに視聴できるように、伝送可能帯域内で全ての番組を送信することもできるので、従来のように、データ放送用の放送帯域が固定されていたことによって、帯域に無駄が生じることなく、これにより、帯域の変動に応じた最適なデータ伝送を行うことができる。すなわち、放送帯域全体の有効利用率を高めることが可能となる。
【００４４】
さらに、テレビジョン放送用の帯域占有率が所定のしきい値を超える状態において、バッファ監視部１３６にて、出力バッファ１３４１〜１３４４の蓄積量が監視され、この蓄積量が所定量を超える場合に、データ放送送出部１５に対しデータ放送パケットの停止制御が行われるので、出力バッファ１３４１〜１３４４を大容量のバッファに交換する必要がなく、その分マルチプレクサ１３の処理負荷は低く抑えられるとともに、安価なもので済む。
【００４５】
また、上記実施形態において、多重処理部１３９では、ヌルパケットを挿入すべき期間に、バッファ１３５１〜１３５ｍに保持されたＰＳＩ／ＳＩパケットを読み出してセレクタ１３７に与えるようにもしているので、放送帯域の変動に影響されることなく、例えば情報差し替え時や番組変更時等が発生した場合に、その差し替えや番組変更に応じたＰＳＩ／ＳＩパケットを送出用のＴＳに多重して送信することができる。
【００４６】
なお、この発明は上記実施形態に限定されるものではない。例えば、上記実施形態では、テレビジョン放送用の送出レートが所定のしきい値を超える場合に、優先順位の高いデータ放送パケット、ＤＩＩセクションパケット及びイベントメッセージセクションパケットを送信するようにしているが、最高優先順位のデータ放送パケット及びＤＩＩセクションパケットのみであってもよい。イベントメッセージの使用は、コンテンツ依存で必ずしも必要とするものではない。また、固定帯域は、任意に設定でき、設定によっては優先順位が１位，２位，３位のデータ放送パケットを常に送信することも可能となる。
【００４７】
また、上記実施形態において、パケットフィルタ部１３３は、データサーバ１８からの編成情報を基に、データ放送用データから第１のデータ放送パケット、第２のデータ放送パケット、ＤＩＩセクションパケット、イベントメッセージセクションパケットを分離するようにしていた。しかし、それに限ることなく、データ放送用データに含まれる所定の制御情報パケットに基づいて、データ放送用データから第１のデータ放送パケット、第２のデータ放送パケット、ＤＩＩセクションパケット、イベントメッセージセクションパケットを分離するようにしてもよい。
【００４８】
さらに、上記実施形態では、固定受信サービスによるテレビジョン放送システムを対象に説明したが、例えば携帯型受信端末を使用した移動体向けの放送システムや携帯端末向けの放送システムにも適用可能である。また、専用線網やインターネットを利用したコンピュータシステムにも適用可能である。
【００４９】
その他、局内システムの構成、マルチプレクサの種類やその構成、マルチプレクサにおけるＴＳパケットの多重制御手順、ＴＳパケットの内容等についても、この発明の要旨を逸脱しない範囲で種々変形して実施できる。
【００５０】
【発明の効果】
以上詳述したようにこの発明によれば、放送帯域が変動した場合にも、優先順位の高いデータ放送のデータを柔軟にかつ効率良くテレビジョン放送信号に多重して放送できるようにしたデジタル放送信号多重送出装置を提供することができる。
【図面の簡単な説明】
【図１】この発明に係るデジタル放送信号多重送出装置が適用される局内システムの一実施形態を示すブロック図。
【図２】図１に示したマルチプレクサの具体的構成を示すブロック図
【図３】同実施形態におけるテレビジョン放送信号とデータ放送信号との帯域関係を示すタイミングチャート。
【図４】同実施形態における処理動作を説明するためのタイミング図。
【符号の説明】
１１，１２…エンコーダ（ＥＮＣ）、
１３…マルチプレクサ（ＭＵＸ）、
１４…符号化多重制御部（ＥＭＣ）、
１５…データ放送送出部、
１６…自動番組送出制御部（ＡＰＣ）、
１７…局内時計、
１８…データサーバ（ＤＳ）、
１３１〜１３３…パケットフィルタ部、
１３４１〜１３４ｎ，１３５１〜１３５ｍ，１３６１〜１３６ｐ…バッファ、
１３７…セレクタ、
１３８…カウンタ、
１３９…多重処理部、
１４０…多重判定部、
１４１…送出周期管理部、
１４２…ＴＳ生成バッファ、
１４３…バッファ監視部。
【図１】
0004282258.tif 000002
【図２】
0004282258.tif 000003
【図３】
0004282258.tif 000004
【図４】
0004282258.tif 000005